(57)【特許請求の範囲】
【請求項１】
プラテンの回転軸の両端を支持する一対のプラテンホルダと、
本体内部における開放可能スペースと開放禁止スペースとを隔てる隔壁と、
前記隔壁に形成された第一のホルダ取付孔と、
前記開放可能スペースに設けられ前記隔壁と平行なフレームと、
前記フレームの前記第一のホルダ取付孔に対向する位置に形成された第二のホルダ取付孔と、
前記第一のホルダ取付孔に取り付けられた前記プラテンホルダと前記隔壁の前記開放可能スペース側の面とを嵌合構造で位置決め固定する第一のホルダ固定部と、
前記第二のホルダ取付孔に取り付けられた前記プラテンホルダと前記フレームの前記隔壁に対向する面の反対側の面とを嵌合構造で位置決め固定する第二のホルダ固定部と、
を有するプラテン機構。
【請求項２】
前記プラテンホルダの前記ホルダ固定部が形成されている端部を屈曲させた請求項１記載のプラテン機構。
【発明の詳細な説明】
【０００１】
【発明の属する技術分野】
本発明は、印字へッドとの間に挟んだ用紙を搬送するプラテンを着脱自在に支持するプラテン機構に関する。
【０００２】
【従来の技術】
プリンタに用いられているプラテンは、消耗品であるので、交換可能に設計されている。プラテンを交換可能とする機構の一例としては、実開平５−４７５３２号公報記載の軸受装置がある。このような構造の軸受装置の一例について、図４に基づいて説明する。
【０００３】
図４は、プラテン１をプリンタ本体内部の所定位置に取り付けるプリンタ機構を概略的に示す縦断正面図である。プラテン１は、一対のプラテンホルダ２，３によって、プリンタ本体内部に互いに対向するように形成されたホルダ取付部４，５に取り付けられる。
【０００４】
プラテンホルダ２，３は、ホルダ取付部４，５に形成されたホルダ取付孔４ａ，５ａに嵌合する嵌合部２ａ，３ａと、嵌合部２ａ，３ａを挟む小側板２ｂ，３ｂ及び大側板２ｃ，３ｃとを有している。大側板２ｃ，３ｃは、小側板２ｂ，３ｂよりも下方に伸びた形状に形成されている。
【０００５】
ホルダ取付部４，５のホルダ取付孔４ａ，５ａより少し下に、凸部４ｂ，５ｂが形成されている。これらの凸部４ｂ，５ｂはプリンタ本体の外側へ向かって突出している。また、大側板２ｃ，３ｃには、凸部４ｂ，５ｂが係合する凹部２ｄ，３ｄが形成されている。
【０００６】
ここで、一方のホルダ取付部４は、プリンタ本体内の駆動系（図示せず）を内蔵している開放禁止スペースｓとの間を隔てる隔壁６に設けられている。この開放禁止スペースｓを囲むカバー７は、用紙の交換などの際にユーザが開放できるカバー（図示せず）とは分けて形成されていて、ユーザによる開放を禁止するために隔壁６にネジ止めされている。そして、プラテン１のホルダ取付部４に取り付けられる側の端部には、前述の駆動系の駆動力を伝達するギヤ８が取り付けられる。
【０００７】
このような軸受装置では、プラテン１を交換する際には、まず、ドライバ等の工具を用いてカバー７を取り外して開放禁止スペースｓを開放する。次に、プラテンホルダ２の大側板２ｃとホルダ取付部４との間にマイナスドライバ等の工具を差し込んで凸部４ｂと凹部２ｄとの係合を解除し、プラテンホルダ２をホルダ取付部４から取り外す。続いて、もう一方のプラテンホルダ３も同様にしてホルダ取付部５から取り外す。そして、プラテン１の両端からプラテンホルダ５を取り外す。
【０００８】
新しいプラテン１の取り付けは、上記の作業を逆に行う。
【０００９】
【発明が解決しようとする課題】
図４に示すような従来の軸受装置では、ユーザが開放できないカバー７を取り外さなければプラテン１の交換ができないため、ユーザがプラテン１を交換することができず、サービスマンに依頼しなければならない。
【００１０】
また、交換作業自体について言えば、まず、ネジ止めされたカバー７を取り外さなければならないし、凹部２ｄと凸部４ｂとの係合を解除するのが容易でない。しかも、工具がなければ作業できない。
【００１１】
本発明は、プラテンの交換作業を容易にすることを目的とする。
【００１２】
また本発明は、工具を使用せずにプラテンの交換を可能にすることを目的とする。
【００１３】
【課題を解決するための手段】
請求項１記載の発明のプラテン機構は、プラテンの回転軸の両端を支持する一対のプラテンホルダと、本体内部における開放可能スペースと開放禁止スペースとを隔てる隔壁と、前記隔壁に形成された第一のホルダ取付孔と、前記開放可能スペースに設けられ前記隔壁と平行なフレームと、前記フレームの前記第一のホルダ取付孔に対向する位置に形成された第二のホルダ取付孔と、前記第一のホルダ取付孔に取り付けられた前記プラテンホルダと前記隔壁の前記開放可能スペース側の面とを嵌合構造で位置決め固定する第一のホルダ固定部と、前記第二のホルダ取付孔に取り付けられた前記プラテンホルダと前記フレームの前記隔壁に対向する面の反対側の面とを嵌合構造で位置決め固定する第二のホルダ固定部とを有する。
【００１４】
ここで、開放可能スペースは、用紙搬送経路などが設けられているスペースであって、例えば紙詰まりの際にユーザにより開放される。また、開放禁止スペースは、プリント配線基板や駆動部などが設けられているスペースであって、ユーザによる開放が禁止されている。このため、開放禁止スペースを覆うカバーは、容易に開放できないようにネジなどで固定されている。
【００１５】
したがって、開放可能スペースを開放すれば前記隔壁と前記プラテンホルダとの嵌合の解除及び前記フレームと前記プラテンホルダとの嵌合の解除が可能となるため、開放禁止スペースを開けることなくプラテンが交換可能である。
【００１６】
請求項２記載の発明は、請求項１記載のプラテン機構であって、前記プラテンホルダの前記ホルダ固定部が形成されている端部を屈曲させた。
【００１７】
したがって、屈曲した端部を手がかりにすることにより、ホルダ固定部の嵌合を容易に解除できる。
【００１８】
【発明の実施の形態】
本発明のプラテン機構の実施の一形態について、図１〜図３に基づいて説明する。図１は、本実施の形態のプラテン機構が用いられたプリンタ１０を示すカバーを取り外した斜視図であり、図２は、プリンタ１０の内部構成及びプリンタ１０の後部に取り付けられるロール紙ホルダ１１を示す縦断右側面図である。
【００１９】
プリンタ１０の内部には、図示しないモータなどの駆動系やプリント配線基板などの制御系が収納されていてユーザによる開放が禁止された開放禁止スペースＳ１と、用紙やインクリボンＩの交換の際などにユーザが開放する開放可能スペースＳ２とを隔てる隔壁１２が設けられている。
【００２０】
開放禁止スペースＳ１は、隔壁１２にネジ止めされる開放禁止カバー１３で囲まれている。開放可能スペースＳ２は、開放禁止カバー１３で一端を回動自在に支持された上面カバー１４と、ユーザによる取り外しを容認した側面カバー１５とにより囲まれている。
【００２１】
開放可能スペースＳ２の前端近傍にはプラテン１６が位置し、その後方には、インクリボンＩが取り付けられるリボンコアを支持する一対の側板を有するリボンコアホルダ１７がプラテン１６に近接離反する方向に回動自在に後方端部を支持されている。
【００２２】
リボンコアホルダ１７には、サーマルヘッド１８が固定されたへッドブラケット１９が取り付けられている。サーマルヘッド１８は、リボンコアホルダ１７の回動に従ってプラテン１６に接離する。
【００２３】
図３は、プラテン１６をプリンタ１０内部の所定位置に取り付けるプラテン機構を示す縦断正面図である。以下、図３を用いてプラテン機構について説明する。
【００２４】
プラテン１６は、一対のプラテンホルダ２０，２１で両端を回転自在に支持されている。プラテンホルダ２０は、隔壁１２に形成された第一のホルダ取付孔１２ａに取り付けられ、プラテンホルダ２１は、開放可能スペース内Ｓ２で隔壁１２に対向するフレーム２２に形成された第二のホルダ取付孔２２ａに取り付けられる。
【００２５】
プラテンホルダ２０，２１は、各ホルダ取付孔１２ａ，２２ａの下端部に嵌合する形状の嵌合部２０ａ，２１ａと、嵌合部２０ａ，２１ａを挟む小側板２０ｂ，２１ｂ及び大側板２０ｃ，２１ｃとを有している。大側板２０ｃ，２１ｃは、小側板２０ｂ，２１ｂよりも下方に伸びた形状に形成されており、下端に屈曲部２０ｄ，２１ｄが形成されている。
【００２６】
隔壁１２の開放可能スペースＳ２側の面におけるホルダ取付孔１２ａよりも少し下に、凸部１２ｂが突設されている。また、フレーム２２の隔壁１２に対向する面の裏面におけるホルダ取付孔２２ａよりも少し下に、凸部２２ｂが突設されている。そして、大側板２０ｃ，２１ｃには、凸部１２ｂ，２２ｂが嵌合する凹部２０ｅ，２１ｅが形成されている。ここで、凸部１２ｂと凹部２０ｅとにより第一のホルダ固定部２３が形成され、凸部２２ｂと凹部２１ｅとにより第二のホルダ固定部２４が形成されている。
【００２７】
プラテン１６の回動軸の両端部は、それぞれベアリング（図示せず）の内周に嵌合し、ベアリングの外周は、プラテンホルダ２０，２１に形成された孔（図示せず）に嵌合する。これにより、プラテン１６は、プラテンホルダ２０，２１で回転自在に支持される。
【００２８】
そして、プラテン１６の隔壁１２に取り付けられる側の端部には、開放禁止スペースＳ１に設けられた図示しないモータから駆動力を受けるためのギヤ２７が取り付けられる。
【００２９】
このような構成において、プラテン１６を交換する際には、まず、第二のホルダ取付孔２２ａに取り付けられたプラテンホルダ２１を取り外す。プラテンホルダ２１を取り外すには、屈曲部２１ｄを持ち上げるようにして凸部２２ｂと凹部２１ｅとの嵌合を解除する。その状態のまま、プラテンホルダ２１をホルダ取付孔２２ａの上方へスライドさせ、ホルダ取付孔２２ａの下端部と嵌合部２１ａとの嵌合を解除する。そして、ホルダ取付孔２２ａからプラテンホルダ２１を取り外す。このとき、プラテン１６とプラテンホルダ２１とが分離される。
【００３０】
次に、前述のプラテンホルダ２１の場合と同様にして、第一のホルダ取付孔１２ａからプラテンホルダ２０をプラテン１６ごと取り外す。そして、プラテン１６とギヤ２７及びプラテンホルダ２０とを分離する。
【００３１】
新しいプラテン１６を取り付ける際には、まず、新しいプラテン１６の一端を第二のホルダ取付孔２２ａから差し込んで隔壁１２とフレーム２２との間に位置させる。次に、このプラテン１６の一端に、開放可能スペースＳ２内でベアリングとプラテンホルダ２０とギヤ２７とを取り付ける。そして、プラテンホルダ２０を第一のホルダ取付孔１２ａに差し込む。続いて、フレーム２２に対して隔壁１２の反対側から、プラテン１６の他端にベアリング及びプラテンホルダ２１を取り付ける。そして、各プラテンホルダ２０，２１を押し下げ、各嵌合部２０ａ，２１ａを各ホルダ取付孔１２ａ，２２ａの下端部に嵌合させるとともに、凸部１２ｂに凹部２０ｅを、凸部２２ｂに凹部２１ｅを嵌合させる。
【００３２】
本実施の形態によれば、凸部１２ｂと凹部２０ｅとの嵌合と、凸部２２ｂと凹部２１ｅとの嵌合とは、いずれも開放可能スペースＳ２において解除可能であるので、開放禁止スペースＳ１を開放することなくプラテン１６を交換することができ、作業が容易である。さらに、プラテンホルダ２０，２１の一端を屈曲させることにより、第一・第二のホルダ固定部２３，２４の嵌合を解除し易くなる。
【００３３】
なお、本実施の形態では、第一のホルダ固定部２３として、隔壁１２に凸部１２ｂを、プラテンホルダに凹部２０ｅを形成し、また、第二のホルダ固定部２４として、フレーム２２に凸部２２ｂを、プラテンホルダに凹部２１ｅを形成しているが、実施にあたっては、第一のホルダ固定部２３として、隔壁１２に凹部を、プラテンホルダに凸部を形成し、また、第二のホルダ固定部２４として、フレーム２２に凹部を、プラテンホルダに凸部を形成しても良い。
【００３４】
【発明の効果】
請求項１記載の発明では、開放可能スペースにおいてプラテンホルダを着脱可能としたので、開放禁止スペースを開けることなくプラテンを交換できるため、容易に交換作業ができる。
【００３５】
請求項２記載の発明では、各プラテンホルダのホルダ固定部が形成されている端部を屈曲させたので、ホルダ固定部の嵌合を容易に解除できる。
【図面の簡単な説明】
【図１】本発明のプラテン機構の実施の一形態が用いられたプリンタを示す斜視図である。
【図２】プリンタ内部の概略構成及びプリンタに取り付けられるロール紙ホルダを示す縦断右側面図である。
【図３】プラテン機構を示す縦断正面図である。
【図４】従来のプラテン機構の一例を示す縦断正面図である。
【符号の説明】
１０        プリンタ
１２        隔壁
２０，２１  プラテンホルダ
２２        フレーム
Ｓ１        開放禁止スペース
Ｓ２        開放可能スペース
１２ａ      第一のホルダ取付孔
２２ａ      第二のホルダ取付孔
２３        第一のホルダ固定部
２４        第二のホルダ固定部
【図１】
0003847966.tif 000002
【図２】
0003847966.tif 000003
【図３】
0003847966.tif 000004
【図４】
0003847966.tif 000005